(57)【要約】【課題】  充填層が閉塞せず、馴致に長期間を要することのない生物脱臭方法と装置を提供する。【解決手段】  充填材を充填した充填層４に、臭気ガス１を通気して脱臭を行う生物脱臭方法において、前記充填層に、まず全リン濃度が０．２ｍｇ／Ｌ以上の水１０を散水させた後、該充填層４の圧力損失又は硫化水素濃度除去率に基づいて、浮遊物質濃度が１０ｍｇ／Ｌ未満の水に切替えて散水することとしたものであり、前記散水する水の切替えは、充填層の圧力損失が０．３ｋＰａ以上となった場合に、全リン濃度０．２ｍｇ／Ｌ以上の水から浮遊物質濃度１０ｍｇ／Ｌ未満の水に切替え、また、前記全リン濃度が０．２ｍｇ／Ｌ以上の水は、下水二次処理水、又は、工業用水又は水道水に栄養塩を添加して調整した水であり、浮遊物質濃度が１０ｍｇ／Ｌ未満の水は、工業用水又は水道水を用いることができる。【選択図】  図１
2007283192.tif 000002
【特許請求の範囲】
【請求項１】
充填材を充填した充填層に、臭気ガスを通気して脱臭を行う生物脱臭方法において、前記充填層に、まず全リン濃度が０．２ｍｇ／Ｌ以上の水を散水させた後、該充填層の圧力損失に基づいて、浮遊物質濃度が１０ｍｇ／Ｌ未満の水に切替えて散水することを特徴とする生物脱臭方法。
【請求項２】
前記充填層に散水する水の切替えは、充填層の圧力損失が０．３ｋＰａ以上となった場合に、全リン濃度０．２ｍｇ／Ｌ以上の水から浮遊物質濃度１０ｍｇ／Ｌ未満の水に切替えることを特徴とする請求項１に記載の生物脱臭方法。
【請求項３】
充填材を充填した充填層に、臭気ガスを通気して脱臭を行う生物脱臭方法において、前記充填層に、まず全リン濃度が０．２ｍｇ／Ｌ以上の水を散水させた後、硫化水素濃度除去率に基づいて、浮遊物質濃度が１０ｍｇ／Ｌ未満の水に切替えて散水することを特徴とする生物脱臭方法。
【請求項４】
前記全リン濃度が０．２ｍｇ／Ｌ以上の水は、下水二次処理水、又は、工業用水又は水道水に栄養塩を添加して調整した水であり、浮遊物質濃度が１０ｍｇ／Ｌ未満の水は、工業用水又は水道水であることを特徴とする請求項１、２又は３記載の生物脱臭方法。
【請求項５】
充填材を充填した充填層に、臭気ガスを通気して脱臭を行う生物脱臭装置において、該生物脱臭装置は、該臭気ガスを導入する導入口と、該充填層に散水をするための散水部と、該充填層の圧力損失を測定する圧力センサと、該圧力センサの測定値により、前記散水部に送水する全リン濃度０．２ｍｇ／Ｌ以上の水と浮遊物質濃度１０ｍｇ／Ｌ未満の水を切替える切替手段とを具備することを特徴とする生物脱臭装置。
【請求項６】
前記切替手段は、充填層の圧力損失が０．３ｋＰａ以上となった場合に、全リン濃度０．２ｍｇ／Ｌ以上の水から浮遊物質濃度１０ｍｇ／Ｌ未満の水に切替える制御部を具備することを特徴とする請求項５に記載の生物脱臭装置。
【請求項７】
充填材を充填した充填層に、臭気ガスを通気して脱臭を行う生物脱臭装置において、該生物脱臭装置は、該臭気ガスを導入する導入口と、該充填層に散水をするための散水部と、該臭気がスと処理ガスの硫化水素濃度を測定する硫化水素濃度計と、該硫化水素濃度計の測定値により硫化水素濃度除去率を算出する演算部と、該演算部の算出値により、前記散水部に送水する全リン濃度０．２ｍｇ／Ｌ以上の水と浮遊物質濃度１０ｍｇ／Ｌ未満の水を切替える切替手段とを具備することを特徴とする生物脱臭装置。
【発明の詳細な説明】
【技術分野】
【０００１】
本発明は、臭気ガスの生物学的脱臭方法及び装置に係り、特に下水処理場から発生する臭気ガスを生物学的に脱臭する方法及び装置に関する。
【背景技術】
【０００２】
微生物を付着させた担体を充填した充填層に、臭気ガスを通気して生物学的に脱臭する充填塔式生物脱臭法は、低ランニングコストで維持管理性が良いことが評価され、硫黄系悪臭物質を含む臭気が発生する下水処理場等で、脱臭対策における中心的役割を担っている。
充填塔式生物脱臭法においては、充填材に生物を馴養するために、散水用水が必要となる。従来、散水用水には、下水二次処理水や下水二次処理水の砂ろ過水を用いて、有効利用を図ったり（特許文献１）、下水処理施設内の工業用水（工水）や水道水を用いていた（特許文献２）。
ここで、下水二次処理水とは、下水を生物処理（二次処理）した水で、最終沈殿池を流出した水をいう。また、工業用水とは、工業用水道又は水道から調達する用水のことであり、一般的な使用の形態としては、原料用水、洗浄用水、ボイラー用水、冷却用水、調温用水、製品用水などがある（非特許文献１）。
【０００３】
しかし、下水二次処理水を散水用水に使用した場合には、浮遊物質（ＳＳ）由来の固形分が多いため、充填層内に蓄積し、担体の有効表面積の減少によって悪臭物質除去性能が低下するばかりでなく、充填層の空隙部分が閉塞してしまう問題があった。一方、砂ろ過水は、ＳＳ由来の固形分は少なく散水用水には適するが、砂ろ過設備を有しない下水処理施設もある。また、使用量に制限があり「脱臭用」に使用できない場合もある。
一方、工業用水や水道水は、ＳＳ分が少ないが、工業用水や水道水中に微生物の増殖に必要なリンや窒素等の栄養塩含量が少ないため、馴致に長期間を要したり、脱臭性能が低下するといった問題がある。また、工業用水や水道水に溶解促進剤を添加する方法もあるが（特許文献３）、ランニングコストや設備費用がかかるという問題がある。
【特許文献１】特開２００２−１２６７７１号公報
【特許文献２】特開平２−１７２５１９号公報
【特許文献３】特開平１０−３２８号公報
【非特許文献１】水道用語辞典第ニ版（日本水道協会）第２５６頁
【発明の開示】
【発明が解決しようとする課題】
【０００４】
本発明は、上記従来技術の問題点を解消し、充填層が閉塞せず、かつ、馴致に長期間を要することのない生物脱臭方法及びその装置を提供することを課題とする。
【課題を解決するための手段】
【０００５】
上記課題を解決するために、鋭意研究を重ねた結果、馴致段階で散水用水に下水二次処理水を用い、馴致後は散水用水に工業用水又は水道水からなる水を用いることにより、充填層が閉塞せず、短期間で馴致でき、悪臭物質除去性能も充分に満足できることを見出し、本発明を完成させた。
本発明では、充填材を充填した充填層に、臭気ガスを通気して脱臭を行う生物脱臭方法において、前記充填層に、まず全リン濃度が０．２ｍｇ／Ｌ以上の水を散水させた後、該充填層の圧力損失に基づいて、浮遊物質濃度が１０ｍｇ／Ｌ未満の水に切替えて散水することを特徴とする生物脱臭方法としたものである。
前記脱臭方法において、充填層に散水する水の切替えは、充填層の圧力損失が０．３ｋＰａ以上となった場合に、全リン濃度０．２ｍｇ／Ｌ以上の水から浮遊物質濃度１０ｍｇ／Ｌ未満の水に切替えることができる。
【０００６】
また、本発明では、充填材を充填した充填層に、臭気ガスを通気して脱臭を行う生物脱臭方法において、前記充填層に、まず全リン濃度が０．２ｍｇ／Ｌ以上の水を散水させた後、硫化水素濃度除去率に基づいて、浮遊物質濃度が１０ｍｇ／Ｌ未満の水に切替えて散水することを特徴とする生物脱臭方法としたものである。
前記脱臭方法において、全リン濃度が０．２ｍｇ／Ｌ以上の水は、下水二次処理水、又は、工業用水又は水道水に栄養塩を添加して調整した水であり、浮遊物質濃度が１０ｍｇ／Ｌ未満の水は、工業用水又は水道水とすることができる。
【０００７】
さらに、本発明では、充填材を充填した充填層に、臭気ガスを通気して脱臭を行う生物脱臭装置において、該生物脱臭装置は、該臭気ガスを導入する導入口と、該充填層に散水をするための散水部と、該充填層の圧力損失を測定する圧力センサと、該圧力センサの測定値により、前記散水部に送水する全リン濃度０．２ｍｇ／Ｌ以上の水と浮遊物質濃度１０ｍｇ／Ｌ未満の水を切替える切替手段とを具備することを特徴とする生物脱臭装置としたものである。
前記脱臭装置において、切替手段は、充填層の圧力損失が０．３ｋＰａ以上となった場合に、全リン濃度０．２ｍｇ／Ｌ以上の水から浮遊物質濃度１０ｍｇ／Ｌ未満の水に切替える制御部を具備することができる。
【０００８】
また、本発明では、充填材を充填した充填層に、臭気ガスを通気して脱臭を行う生物脱臭装置において、該生物脱臭装置は、該臭気ガスを導入する導入口と、該充填層に散水をするための散水部と、該臭気がスと処理ガスの硫化水素濃度を測定する硫化水素濃度計と、該硫化水素濃度計の測定値により硫化水素濃度除去率を算出する演算部と、該演算部の算出値により、前記散水部に送水する全リン濃度０．２ｍｇ／Ｌ以上の水と浮遊物質濃度１０ｍｇ／Ｌ未満の水を切替える切替手段とを具備することを特徴とする生物脱臭装置としたものである。
本発明においては、充填層を充填した充填層の圧力損失を測定して、圧力損失の変化傾向を算出し、圧力損失が上昇傾向にある場合に、下水二次処理水から工業用水又は水道水に切替えて散水することができ、その際、工業用水又は水道水に、栄養塩又は下水二次処理水を添加することができ、栄養塩又は下水二次処理水を添加した後のリン酸濃度は０．１ｍｇ／Ｌ以上とすることができる。
【発明の効果】
【０００９】
本発明により、散水用水を馴致終了後に下水二次処理水から工業用水や水道水に切替えるという極めて簡便な方法により、充填層へのＳＳの閉塞を解消でき、悪臭物質除去性能を充分に満足できる。また、砂ろ過設備がなく下水二次処理水しか得られない下水処理施設においては、調達が容易な工業用水や水道水を利用することができる。
【発明を実施するための最良の形態】
【００１０】
以下に、本発明を図面を参照して詳細に説明する。
図１は、本発明の生物脱臭装置の概略構成図である。
図１において、脱臭塔３は、微生物を担持させるための充填材を充填した充填層４と、充填層４に散水用水を散水するための散水部５と、散水した後の水を排水するための排水管６を備える。充填層に用いる充填材としては、ポリビニルアルコール（ＰＶＡ）、ポリウレタン、ポリスチレン、ポリプロピレン、ポリエチレン又はポリアセタールの発泡成形物、多孔質セラミック、ゼオライト又はピートのような天然材料、破砕炭、成形炭等あるが、特にこれらに限定されない。また、散水用水として、下水二次処理水１０と工業用水又は水道水１１を給水槽７に貯水し、散水部５に送水する。また、下水二次処理水切替バルブ８と工業用水又は水道水切替バルブ９により、給水槽７に送る水を、下水二次処理水１０と工業用水又は水道水１１とを切替えることができる。
【００１１】
切替えた後の水は、浮遊物質濃度が１０ｍｇ／Ｌ未満であることが好ましい。１０ｍｇ／Ｌ以上であると、充填層へ浮遊物質の付着し、圧力損失が上昇する。さらに、工業用水又は水道水１０に下水二次処理水９を一部混合することもできる。この場合、下水二次処理水を添加した後の全窒素濃度は０．１ｍｇ/Ｌ以上、全リン濃度は０．２ｍｇ/Ｌ以上であることが好ましい。全リン濃度が０．２ｍｇ/Ｌ以下の場合は、馴致が不十分になったり、馴致期間が極めて長くなる。圧力センサ１２により、充填層の圧力損失を測定する。制御部１３から、圧力損失が０．３ｋＰａ以上となった場合に、下水二次処理水１０から工業用水又は水道水１１に切替えるよう下水二次処理水切替バルブ８を閉じ、工業用水又は水道水切替バルブ９を開くように信号をだす。充填層の圧力損失は、一般には０．０１〜０．２ｋＰａ程度であるが、充填層へのＳＳ分や汚泥の蓄積等により徐々に増え、ある時点より急激に上昇することが知られている。そのため、０．３ｋＰａとなったときが圧力損失が上昇傾向にあるかを知る上での一つの目安となる。
【００１２】
図２は、本発明の別の生物脱臭装置の概略構成図である。
図２において、脱臭塔３は、微生物を担持させるための充填材を充填した充填層４と、充填層４に散水用水を散水するための散水部５と、散水した後の水を排水するための排水管６を備える。散水用水として、工業用水又は水道水と下水二次処理水を給水槽７に貯水する。また、栄養塩添加装置１４を備えており、栄養塩添加装置１１から給水槽７に栄養塩を添加する。栄養塩としては、尿素、リン酸カリウム（KH2PO4、K2HPO4）等がある。給水槽７の水を散水部５に送水する。散水用水の水質監視や制御にＳＳ計、全窒素測定計、全リン測定計を用いても良い。また、下水二次処理水切替バルブ８と工業用水又は水道水切替バルブ９により、給水槽７に送る水を、下水二次処理水１０と工業用水又は水道水１１とを切替えることができる。さらに、工業用水又は水道水１０に下水二次処理水９を一部混合することもできる。この場合、下水二次処理水を添加した後の全窒素濃度は０．１ｍｇ/Ｌ以上、全リン濃度は０．２ｍｇ/Ｌ以上であることが好ましい。圧力センサ１２により、充填層の圧力損失を測定する。制御部１３から、圧力損失が０．３ｋＰａ以上となった場合に、下水二次処理水１０から工業用水又は水道水１１に切替えるよう下水二次処理水切替バルブ８を閉じ、工業用水又は水道水切替バルブ９を開くように信号をだす。
【００１３】
図３は、本発明の別の生物脱臭装置の概略構成図である。
図３において、脱臭塔３は、微生物を担持させるための充填材を充填した充填層４と、充填層４に散水用水を散水するための散水部５と、散水した後の水を排水するための排水管６を備える。散水用水として、工業用水又は水道水と下水二次処理水を給水槽７に貯水する。給水槽７の水を散水部５に送水する。また、下水二次処理水切替バルブ８と工業用水又は水道水切替バルブ９により、給水槽７に送る水を、下水二次処理水１０と工業用水又は水道水１１とを切替えることができる。この場合、下水二次処理水を添加した後の全窒素濃度は０．１ｍｇ/Ｌ以上、全リン濃度は０．２ｍｇ/Ｌ以上であることが好ましい。原ガス硫化水素濃度計１５及び処理ガス硫化水素濃度計１６により、原ガスと処理ガスの硫化水素濃度を測定する。測定した硫化水素濃度より演算部１７にて硫化水素除去率を算出する。硫化水素除去率に基づいて、下水二次処理水１０から工業用水又は水道水１１に切替えるよう下水二次処理水切替バルブ８を閉じ、工業用水又は水道水切替バルブ９を開くように信号をだす。充填層にＳＳ分が付着し圧力損失が上昇すると、硫化水素除去率が悪くなることが知られており、散水用水を切替えるのは、硫化水素除去率が7０〜９０％以下となったときがよい。
【実施例】
【００１４】
以下、本発明を実施例により具体的に説明する。
実施例１
図１に示す脱臭塔３の充填層５にポリビニルアセタール（ＰＶＡ）を充填し、下水汚泥集約処理施設から発生する臭気を、原ガス１として脱臭処理した。運転条件は次のとおりである。
原ガス性状      硫化水素濃度                      ：２４ｐｐｍ
メチルメルカプタン濃度            ：  ２．０ｐｐｍ
硫化メチル濃度                    ：  ０．０７９ｐｐｍ
二硫化メチル濃度                  ：  ０．０３６ｐｐｍ
温度                              ：２０℃
空塔速度            ：１８０ｈｒ−１
空塔線速度          ： ０．１１ｍ／ｓｅｃ
【００１５】
脱臭処理開始から６０日経過後の脱臭成績を表１に示す。下水二次処理水を３０日間散水したところ、圧力損失が０．３ｋＰａ以上となった。また、このときの硫化水素の除去率は８９％であった。その後、散水用水を工業用水に切替えた。工業用水に切替えてから３０日後の処理ガスの悪臭物質濃度は、硫化水素０．００１ｐｐｍ以下、メチルメルカプタン０．００１ｐｐｍ以下、硫化メチル０．００１ｐｐｍ以下、二硫化メチル０．００１ｐｐｍ以下となった。また、脱臭処理開始より６０日後の圧力損失は０．１６ｋＰａであった。
なお、散水用水のＳＳ濃度、全窒素濃度、全リン濃度を表２に示す。下水二次処理水のＳＳ濃度は１０ｍｇ／Ｌ、全窒素濃度は１３ｍｇ／Ｌ、全リン濃度は２．１ｍｇ／Ｌであった。工業用水のＳＳ濃度は１ｍｇ／Ｌ、全窒素濃度は０．５ｍｇ／Ｌ、全リン濃度は１．０ｍｇ／Ｌであった。
【００１６】
実施例２
図１に示す脱臭塔３の充填層５にＰＶＡを充填し、下水汚泥集約処理施設から発生する臭気を原ガス１として、脱臭処理した。運転条件は次のとおりである。
原ガス性状      硫化水素濃度                      ：２９ｐｐｍ
メチルメルカプタン濃度            ：  １．７ｐｐｍ
硫化メチル濃度                    ：  ０．０６９ｐｐｍ
二硫化メチル濃度                  ：  ０．０３９ｐｐｍ
温度                              ：２１℃
空塔速度            ：１８０ｈｒ−１
空塔線速度          ： ０．１１ｍ／ｓｅｃ
【００１７】
脱臭処理開始から６０日経過後の脱臭成績を表１に示す。下水二次処理水を３０日間散水したところ圧力損失が０．３ｋＰａ以上となった。また、このときの硫化水素の除去率は８９％であった。その後、散水用水を水道水に切替えた。上水に切替えてから３０日後の処理ガスの悪臭物質濃度は、硫化水素０．００１ｐｐｍ以下、メチルメルカプタン０．００１ｐｐｍ以下、硫化メチル０．００１ｐｐｍ以下、二硫化メチル０．００１ｐｐｍ以下となった。また、脱臭処理開始より６０日後の圧力損失は０．１５ｋＰａであった。
なお、散水用水のＳＳ濃度、全窒素濃度、全リン濃度を表２に示す。下水二次処理水のＳＳ濃度は１１ｍｇ／Ｌ、全窒素濃度は１２ｍｇ／Ｌ、全リン濃度は２．７ｍｇ／Ｌであった。水道水のＳＳ濃度は１ｍｇ／Ｌ、全窒素濃度は２．０ｍｇ／Ｌ、全リン濃度は０．１ｍｇ／Ｌ以下であった。
【００１８】
実施例３
図１に示す脱臭塔３の充填層５にポリビニルアセタール（ＰＶＡ）を充填し、下水汚泥集約処理施設から発生する臭気を、原ガス１として脱臭処理した。運転条件は次のとおりである。
原ガス性状      硫化水素濃度                      ：２８ｐｐｍ
メチルメルカプタン濃度            ：  ２．５ｐｐｍ
硫化メチル濃度                    ：  ０．０９０ｐｐｍ
二硫化メチル濃度                  ：  ０．０３５ｐｐｍ
温度                              ：２０℃
空塔速度            ：１８０ｈｒ−１
空塔線速度          ： ０．１１ｍ／ｓｅｃ
【００１９】
脱臭処理開始から６０日経過後の脱臭成績を表１に示す。下水二次処理水を３５日間散水したところ、硫化水素の除去率がそれまでは９０％以上であったものが、８９％となった。このときの圧力損失が０．３５ｋＰａであった。その後、散水用水を工業用水に切替えた。工業用水に切替えてから２５日後の処理ガスの悪臭物質濃度は、硫化水素０．００１ｐｐｍ以下、メチルメルカプタン０．００１ｐｐｍ以下、硫化メチル０．００１ｐｐｍ以下、二硫化メチル０．００１ｐｐｍ以下となった。また、脱臭処理開始より６０日後の圧力損失は０．１９ｋＰａであった。
なお、散水用水のＳＳ濃度、全窒素濃度、全リン濃度を表２に示す。下水二次処理水のＳＳ濃度は１０ｍｇ／Ｌ、全窒素濃度は１３ｍｇ／Ｌ、全リン濃度は２．１ｍｇ／Ｌであった。工業用水のＳＳ濃度は１ｍｇ／Ｌ、全窒素濃度は０．５ｍｇ／Ｌ、全リン濃度は１．０ｍｇ／Ｌであった。
【００２０】
実施例４
図１に示す脱臭塔３の充填層５にポリビニルアセタール（ＰＶＡ）を充填し、下水汚泥集約処理施設から発生する臭気を、原ガス１として脱臭処理した。運転条件は次のとおりである。
原ガス性状      硫化水素濃度                      ：２５ｐｐｍ
メチルメルカプタン濃度            ：  １．９ｐｐｍ
硫化メチル濃度                    ：  ０．０６５ｐｐｍ
二硫化メチル濃度                  ：  ０．０４０ｐｐｍ
温度                              ：２０℃
空塔速度            ：１８０ｈｒ−１
空塔線速度          ： ０．１１ｍ／ｓｅｃ
【００２１】
脱臭処理開始から６０日経過後の脱臭成績を表１に示す。下水二次処理水を３５日間散水したところ、硫化水素の除去率がそれまでは９０％以上であったものが、８９％となった。このときの圧力損失が０．３５ｋＰａであった。その後、散水用水を水道水に切替えた。水道水に切替えてから２５日後の処理ガスの悪臭物質濃度は、硫化水素０．００１ｐｐｍ以下、メチルメルカプタン０．００１ｐｐｍ以下、硫化メチル０．００１ｐｐｍ以下、二硫化メチル０．００１ｐｐｍ以下となった。また、脱臭処理開始より６０日後の圧力損失は０．１８ｋＰａであった。
なお、散水用水のＳＳ濃度、全窒素濃度、全リン濃度を表２に示す。下水二次処理水のＳＳ濃度は１１ｍｇ／Ｌ、全窒素濃度は１２ｍｇ／Ｌ、全リン濃度は２．７ｍｇ／Ｌであった。水道水のＳＳ濃度は１ｍｇ／Ｌ、全窒素濃度は２．０ｍｇ／Ｌ、全リン濃度は０．１ｍｇ／Ｌ以下であった。
【００２２】
比較例１
図１に示す脱臭塔３の充填層５にＰＶＡを充填し、下水汚泥集約処理施設から発生する臭気を原ガス１として、脱臭処理した。運転条件は次のとおりである。
原ガス性状      硫化水素濃度                      ：２８ｐｐｍ
メチルメルカプタン濃度            ：  １．６ｐｐｍ
硫化メチル濃度                    ：  ０．０７９ｐｐｍ
二硫化メチル濃度                  ：  ０．０３９ｐｐｍ
温度                              ：２０℃
空塔速度            ：１８０ｈｒ−１
空塔線速度          ： ０．１１ｍ／ｓｅｃ
【００２３】
脱臭処理開始から６０日経過後の脱臭成績を表１に示す。試験開始時より散水用水には下水二次処理水を使用した。脱臭処理開始より６０日後の処理ガスの悪臭物質濃度は、硫化水素５．１ｐｐｍ、メチルメルカプタン０．０１０ｐｐｍ、硫化メチル０．００４ｐｐｍ、二硫化メチル０．００１ｐｐｍ以下であり、実施例１及び実施例２に比して脱臭性能が悪くなった。このときの硫化水素除去率は、８２％であった。また、脱臭処理開始より６０日後の圧力損失も０．５ｋＰａと実施例１及び実施例２に比して高かった。
なお、散水用水のＳＳ濃度、アンモニア態窒素濃度、リン酸濃度を表２に示す。下水二次処理水のＳＳ濃度は１１ｍｇ／Ｌ、アンモニア態窒素濃度は１３ｍｇ／Ｌ、リン酸濃度は２．５ｍｇ／Ｌであった。
【００２４】
比較例２
図１に示す脱臭塔３の充填層５にＰＶＡを充填し、下水汚泥集約処理施設から発生する臭気を原ガス１として、脱臭処理した。運転条件は次のとおりである。
原ガス性状      硫化水素濃度                      ：２２ｐｐｍ
メチルメルカプタン濃度            ：  １．９ｐｐｍ
硫化メチル濃度                    ：  ０．０８６ｐｐｍ
二硫化メチル濃度                  ：  ０．０４３ｐｐｍ
温度                              ：２２℃
空塔速度            ：１８０ｈｒ−１
空塔線速度          ： ０．１１ｍ／ｓｅｃ
【００２５】
脱臭処理開始から６０日経過後の脱臭成績を表１に示す。試験開始時より散水用水には工業用水を使用した。脱臭処理開始より６０日後の処理ガスの悪臭物質濃度は、硫化水素０．００２ｐｐｍ以下、メチルメルカプタン０．０６４ｐｐｍ、硫化メチル０．０１６ｐｐｍ、二硫化メチル０．０１５ｐｐｍ以下であり、実施例１及び実施例２に比して脱臭性能が悪くなった。また、脱臭処理開始より６０日後の圧力損失は０．０２ｋＰａであった。
なお、散水用水のＳＳ濃度、全窒素濃度、全リン濃度を表２に示す。工業用水のＳＳ濃度は１ｍｇ／Ｌ、全窒素濃度は０．５ｍｇ／Ｌ、全リン濃度は１．０ｍｇ／Ｌ以下であった。
【００２６】
比較例３
図１に示す脱臭塔３の充填層５にＰＶＡを充填し、下水汚泥集約処理施設から発生する臭気を原ガス１として、脱臭処理した。運転条件は次のとおりである。
原ガス性状      硫化水素濃度                      ：２８ｐｐｍ
メチルメルカプタン濃度            ：  ２．１ｐｐｍ
硫化メチル濃度                    ：  ０．０７２ｐｐｍ
二硫化メチル濃度                  ：  ０．０３５ｐｐｍ
温度                              ：２１℃
空塔速度            ：１８０ｈｒ−１
空塔線速度          ： ０．１１ｍ／ｓｅｃ
【００２７】
脱臭処理開始から６０日経過後の脱臭成績を表１に示す。試験開始時より散水用水には水道水を使用した。脱臭処理開始より６０日後の処理ガスの悪臭物質濃度は、硫化水素０．００３ｐｐｍ以下、メチルメルカプタン０．０５６ｐｐｍ、硫化メチル０．０１２ｐｐｍ、二硫化メチル０．０２０ｐｐｍ以下であり、実施例１及び実施例２に比して脱臭性能が悪くなった。また、脱臭処理開始より６０日後の圧力損失は０．０２ｋＰａであった。
なお、散水用水のＳＳ濃度、全窒素濃度、全リン濃度を表２に示す。水道水のＳＳ濃度は１ｍｇ／Ｌ、全窒素濃度は２．０ｍｇ／Ｌ以下、全リン濃度は０．１ｍｇ／Ｌ以下であった。
【００２８】
【表１】
2007283192.tif 000003
【００２９】
【表２】
2007283192.tif 000004
【図面の簡単な説明】
【００３０】
【図１】本発明の生物脱臭装置の一例を示す概略構成図。
【図２】本発明の生物脱臭装置の別の例を示す概略構成図。
【図３】本発明の生物脱臭装置の他の例を示す概略構成図。
【符号の説明】
【００３１】
１：原ガス、２：処理ガス、３：脱臭塔、４充填層、５：散水部、６：排水、７：給水槽、８：下水二次処理水切替バルブ、９：工業用水又は水道水切替バルブ、１０：下水二次処理水、１１：工業用水又は水道水、１２：圧力センサ、１３：制御部、１４：栄養塩添加装置、１５，１６：硫化水素濃度計、１７：演算部
【図１】
2007283192.tif 000005
【図２】
2007283192.tif 000006
【図３】
2007283192.tif 000007